(57)【要約】【課題】構造が簡単で製造コストが低い単方向回転ローラーを提供する【解決手段】単方向回転ローラーは、軸心１１、２１を別々に有する大ローラー１０及び小ローラー２０と、伸縮装置３０とを備える。伸縮装置３０は、一端が大ローラー１０の軸心１１に装着され、他端が小ローラー２０の軸心２１に装着される。単方向回転ローラーが大ローラー１０を前にして移動する際、伸縮装置３０は小ローラー２０を大ローラー１０から遠く分離させることが可能である。単方向回転ローラーが小ローラー２０を前にして移動する際、伸縮装置３０は小ローラー２０を大ローラー１０に接近かつ接触させるため、小ローラー２０と大ローラー１０とは互いに突き当たり、回転しなくなることが可能である。【選択図】図１
2010246680.tif 000002
【特許請求の範囲】
【請求項１】
軸心を別々に有する大ローラー及び小ローラーと、
一端が前記大ローラーの軸心に装着され、他端が前記小ローラーの軸心に装着される伸縮装置と、を備え、
前記大ローラーが先頭に立って移動する際、前記伸縮装置は前記小ローラーを前記大ローラーから遠く分離させ、前記大ローラーが逆方向に回転する際、前記伸縮装置は前記小ローラーを前記大ローラーに接近かつ接触させるため、前記小ローラーと前記大ローラーとは互いに突き当たり、回転しなくなることを特徴とする単方向回転ローラー。
【請求項２】
前記伸縮装置は、前記大ローラーの両側に配置される二つの誘導保護板から構成されることを特徴とする請求項１に記載の単方向回転ローラー。
【請求項３】
二つの前記誘導保護板は、一端が前記大ローラーに別々に接続され、他端にスロットを別々に有し、前記小ローラーは軸心によって二つの前記スロット間に接続されることを特徴とする請求項２に記載の単方向回転ローラー。
【請求項４】
二つの前記誘導保護板は、一端が前記小ローラーに別々に接続され、他端にスロットを別々に有し、前記大ローラーは軸心によって二つの前記スロット間に接続されることを特徴とする請求項２に記載の単方向回転ローラー。
【請求項５】
二つの前記誘導保護板は、両端にスロットを別々に有し、前記大ローラーおよび前記小ローラーは軸心によって二つの前記スロット間に別々に接続されることを特徴とする請求項２に記載の単方向回転ローラー。
【請求項６】
一つの前記誘導保護板は一端にスロットを有し、別の前記誘導保護板は一端に接続部を有し、前記接続部によって前記スロットと接続するため、二つの前記誘導保護板は互いに奥に向かって移動かつ接近するか、互いに背いて外に移動かつ分離することによって二つの前記誘導保護板上の遠く離れる両端間の距離を変えることが可能であることを特徴とする請求項２に記載の単方向回転ローラー。
【請求項７】
前記伸縮装置は、前記大ローラーの両側に別々に配置される二組の連結桿から構成されることを特徴とする請求項１に記載の単方向回転ローラー。
【請求項８】
前記伸縮装置の二つの前記連結桿は、前記大ローラーの一側に位置付けられることを特徴とする請求項１に記載の単方向回転ローラー。
【発明の詳細な説明】
【技術分野】
【０００１】
本発明は、単方向回転ローラーに関するものである。
【背景技術】
【０００２】
腹筋運動器具または児童用ゲームカー例えば、台湾実用新案公告第２５５２０３号により掲示された「ほふく前進器」などの多くの市販製品は、単方向回転ローラーによって特定の効果を達成する。一般的にローラーを単方向に回転させることによって逆回転防止効果を達成するため、ローラーの軸心に単方向軸受または単方向つめ車などの別の機構を増設すれば、需要に応じてローラーを単方向に回転させ、逆回転防止効果を果たすことが可能である。単方向軸受または単方向つめ車は効果を発揮可能であるが、コストおよび製造精度の基準が高いことが原因で単方向回転ローラーの製造コストが高くつくという問題は発生する。またこれらの構造を増設すれば単方向回転ローラーの使用の際に騒音が発生するため、改善しなければならない問題となる。
【先行技術文献】
【特許文献】
【０００３】
【特許文献１】台湾実用新案公告第２５５２０３号
【発明の開示】
【発明が解決しようとする課題】
【０００４】
本発明の主な目的は、構造が簡単で製造コストが低い単方向回転ローラーを提供することである。
【課題を解決するための手段】
【０００５】
上述の目的を達成するために、本発明による単方向回転ローラーは、軸心を別々に有する大ローラー及び小ローラーと、伸縮装置とを備える。伸縮装置は一端が大ローラーの軸心に装着され、他端が小ローラーの軸心に装着される。単方向回転ローラーが大ローラーを前にして移動する際、伸縮装置は小ローラーを大ローラーから遠く分離させることが可能である。単方向回転ローラーが小ローラーを前にして移動する際、伸縮装置は小ローラーを大ローラーに接近かつ接触させることが可能である。
【図面の簡単な説明】
【０００６】
【図１】本発明の第一実施形態を示す平面図である。
【図２】本発明の第一実施形態を示す側面図である。
【図３】本発明の第二実施形態を示す側面図である。
【図４】本発明の第三実施形態を示す側面図である。
【図５】本発明の第四実施形態を示す側面図である。
【図６】本発明の第五実施形態を示す側面図である。
【発明を実施するための最良の形態】
【０００７】
以下、本発明の特徴および効果を説明するため、五つの実施形態および図面に基づいて説明を進める。
【０００８】
（第一実施形態）
図１に示すように、本発明による第一実施形態の単方向回転ローラーは、軸心１１、２１を別々に有する大ローラー１０及び小ローラー２０と、伸縮装置３０とを備える。
【０００９】
伸縮装置３０は、一端が大ローラー１０の軸心１１に装着され、他端が小ローラー２０の軸心２１に装着される。単方向回転ローラーが大ローラー１０を前にして移動する際、伸縮装置３０は小ローラー２０を大ローラー１０から遠く分離させることが可能である。単方向回転ローラーが小ローラー２０を前にして移動する際、伸縮装置３０は小ローラー２０を大ローラー１０に接近かつ接触させるため、小ローラー２０と大ローラー１０とは互いに突き当たり、回転しなくなることが可能である。
【００１０】
図１と図２に示すように、本発明の第一実施形態において、伸縮装置３０は、二つの誘導保護板３１から構成される。二つの誘導保護板３１は大ローラー１０の両側に装着され、かつ一端が大ローラー１０の軸心１１に別々に装着され、他端にスロット３２を別々に有する。小ローラー２０は軸心２１によって二つの誘導保護板３１の互いに対応する二つのスロット３２の間に接続される。図１中の矢印Ａ方向に示すように、単方向回転ローラーが平面において大ローラー１０を前にして移動する際、伸縮装置３０および小ローラー２０は大ローラー１０によって引っ張られて走行する。小ローラー２０は伸縮装置３０によって引っ張られて移動するため、小ローラー２０の軸心２１はスロット３２の後端に転移し、小ローラー２０は大ローラー１０から遠く離れることが可能である。大ローラー１０を逆方向に回転させる、即ち単方向回転ローラーが小ローラー２０を前にして移動する際、図１中の矢印Ｂ方向に示すように、小ローラー２０の軸心はスロット３２の前端に転移し、小ローラー２０は大ローラー１０に接近かつ接触するため、小ローラー２０と大ローラー１０とが互いに噛み合い、回転しなくなり、単方向回転効果を達成することが可能である。
【００１１】
（第二実施形態）
図３に示すように、本発明の第二実施形態は、大ローラー１０、小ローラー２０および伸縮装置３０を備える。第一実施形態との違いは、伸縮装置３０のスロット３２が大ローラー１０の一端に配置される、即ち大ローラー１０が軸心１１によって二つのスロット３２の間に接続されることである。同様に単方向回転ローラーが平面において大ローラー１０を前にして移動し、大ローラー１０の軸心１１をスロット３２の前端に転移させる際、伸縮装置３０を押して小ローラー２０を引っ張って走行させることが可能である。大ローラー１０が逆方向で伸縮装置３０および小ローラー２０を押して回転させる、即ち単方向回転ローラーが小ローラー２０を前にして移動し、大ローラー１０の軸心１１をスロット３２の後端に転移させる際、伸縮装置３０は押され、小ローラー２０は大ローラー１０に接近かつ接触するため、小ローラー２０と大ローラー１０とが互いに噛み合い、回転しくなり、単方向回転効果を達成することが可能である。
【００１２】
（第三実施形態）
図４に示すのは本発明の第三実施形態である。上述の二つの実施形態との違いは、伸縮装置３０の誘導保護板が両端にスロット３２を別々に有し、大ローラー１０と小ローラー２０が軸心によって二つのスロット３２の間に接続されることである。作動原理は上述の二つの実施形態と同じである。大ローラー１０が先頭に立って移動する際、伸縮装置３０および小ローラー２０は大ローラー１０によって引っ張られて走行するため、大ローラー１０の軸心１１はスロット３２の前端に転移し、小ローラー２０は大ローラー１０から遠く離れる。大ローラー１０が逆方向で伸縮装置３０および小ローラー２０を押して回転させる際、大ローラー１０の軸心１１はスロット３２の後端に転移し、小ローラー２０は大ローラー１０に接近かつ接触し、大ローラー１０は小ローラー２０を噛むため、単方向回転効果を達成することが可能である。
【００１３】
（第四実施形態）
図５に示すのは本発明の第四実施形態である。本実施形態による単方向回転ローラーにおいて、大ローラー１０および小ローラー２０は前述の実施形態の構造と同じである。伸縮装置は二つの誘導保護板３１から構成され、そのうちの一つの誘導保護板３１は一端にスロット３２を有し、別の誘導保護板３１は一端に接続部３３を有し、接続部３３によってスロット３２と接続するため、二つの誘導保護板３１は互いに奥に向かって移動かつ接近するか、互いに背いて外に移動かつ分離することによって二つの誘導保護板３１上の遠く離れる両端間の距離を変えることが可能である。二つの誘導保護板３１上の遠く離れる両端は大ローラー１０および小ローラー２０の同じ側の軸心に別々に接続される。大ローラー１０が先頭に立って伸縮装置３０および小ローラー２０を引っ張って走行させる際、二つの誘導保護板３１は引っ張られるため、小ローラー２０は大ローラー１０から遠く離れる。大ローラー１０が逆方向で伸縮装置３０および小ローラー２０を押して回転させる際、二つの誘導保護板３１は圧迫され、小ローラー２０は大ローラー１０に接近かつ接触し、大ローラー１０は小ローラー２０を噛むため、単方向回転効果を達成することが可能である。
【００１４】
（第五実施形態）
図６に示すように、本発明の第五実施形態は大ローラー１０、小ローラー２０および伸縮装置３０を備える。大ローラー１０および小ローラー２０は伸縮装置３０の両端に装着される。伸縮装置３０は大ローラー１０の両側に装着される二組の連結桿から構成される。大ローラー１０が先頭に立って伸縮装置３０および小ローラー２０を引っ張って走行させる際、二組の連結桿は引っ張られるため、小ローラー２０は大ローラー１０から遠く離れる。大ローラー１０が逆方向で伸縮装置３０および小ローラー２０を押して回転させる際、二組の連結桿間は接続されるため、大ローラー１０の推力を確実に前に伝達することができない。このため、連結桿の接続箇所は湾曲し、二つの連結桿は圧迫され、小ローラー２０は大ローラー１０に接近かつ接触し、大ローラー１０は小ローラー２０を噛む。従って、単方向回転効果を達成することが可能である。本実施形態は、連結桿を二組配置するとは限られず、大ローラー１０の一側に一組の二つの連結桿を配置することによって同じ効果を達成することも可能である。
【００１５】
上述したとおり、本発明は、構造が簡単で経済的であるだけでなく、回転の際に騒音を確実に発生させない単方向回転ローラーを提供することによって、従来の単方向回転ローラーの欠点を確実に改善し、製品の競争力を向上させることが可能である。
【符号の説明】
【００１６】
１０：大ローラー、１１：軸心、２０：小ローラー、２１：軸心、３０：伸縮装置、３１：誘導保護板、３２：スロット、３３：接続部
【図１】
2010246680.tif 000003
【図２】
2010246680.tif 000004
【図３】
2010246680.tif 000005
【図４】
2010246680.tif 000006
【図５】
2010246680.tif 000007
【図６】
2010246680.tif 000008